(57)【要約】      （修正有）【課題】  読み取り環境の違いや閲覧環境の違いによる送信画像データのばらつきを防止することができる画像形成装置を提供する。【解決手段】  原稿を読み取る画像読み取り手段と、前記読み取り手段の画像データを蓄積する画像記憶手段と、記画像記憶手段に蓄積されているデータを機器内部の第１の形式から第２の形式に変換するデータ形式変換手段と、前記データ形式変換手段で変換された内容を送受信するネットワークインターフェースコントローラ手段と、を有する画像形成装置であって、前記画像記憶手段に、前記画像データと共に、所定の環境条件を含む属性データを保存し、前記ネットワークインターフェースコントローラ手段を通じて前記画像データを外部に送信する際に、前記データ形式変換手段において、その送信する画像データに対し、前記属性データに基づいて所定の環境条件による色の違いを補正する所定環境補正処理を行う構成となっている。【選択図】      図５
2006262024.tif 000002
【特許請求の範囲】
【請求項１】
原稿を読み取る画像読み取り手段と、前記画像読み取り手段から生成される画像信号に画像処理を施すスキャナ補正手段と、該スキャナ補正手段の画像データを蓄積する画像記憶手段と、該画像記憶手段に蓄積された画像データをもとにプリント用に画像処理を行うプリンタ補正手段と、該プリンタ補正手段で生成された画像データをもとに画像を印刷するプリンタ手段と、前記画像記憶手段に蓄積されているデータを機器内部の第１の形式から第２の形式に変換するデータ形式変換手段と、前記データ形式変換手段で変換された内容を送受信するネットワークインターフェースコントローラ手段と、を有する画像形成装置であって、
前記画像記憶手段に、前記画像データと共に、所定の環境条件を含む属性データを保存し、
前記ネットワークインターフェースコントローラ手段を通じて前記画像データを外部に送信する際に、前記データ形式変換手段において、その送信する画像データに対し、前記属性データに基づいて所定の環境条件による色の違いを補正する所定環境補正処理を行うことを特徴とする画像形成装置。
【請求項２】
前記属性データが、どの環境光下で読み取ったかという読み取り環境条件の属性データであり、前記データ形式変換手段において前記属性データに基づいて読み取り環境条件による色の違いを補正する読み取り環境補正処理を行うことを特徴とする請求項１に記載の画像形成装置。
【請求項３】
前記属性データが、どの環境光下で閲覧するかという閲覧環境条件の属性データであり、前記データ形式変換手段において前記属性データに基づいて閲覧環境条件による色の違いを補正する閲覧環境補正処理を行うことを特徴とする請求項１に記載の画像形成装置。
【請求項４】
前記属性データが、どの環境光下で読み取ったかという読み取り環境条件およびどの環境光下で閲覧するかという閲覧環境条件の属性データであり、前記データ形式変換手段において前記属性データに基づいて読み取り環境条件および閲覧環境条件による色の違いを補正する読み取り環境および閲覧環境補正処理を行うことを特徴とする請求項１に記載の画像形成装置。
【請求項５】
前記画像記憶手段に蓄積される画像データは、カラーＭＦＰ機によりコピー画像として読み取られ、コピーの画像処理が施されたＲＧＢ系の画像データであることを特徴とする請求項１乃至４のいずれか一項に記載の画像形成装置。
【発明の詳細な説明】
【技術分野】
【０００１】
この発明は、ファクシミリ、スキャナ、プロッタ等の複合機能を有するＭＦＰ複写機で読み取った画像データによって画像形成すると共に、画像データをネットワーク接続されたＰＣ等に配信する画像形成装置に関し、特に、読み取り環境の違いや閲覧環境の違いによる送信画像データのばらつきを防止することができる画像形成装置に関するものである。
【背景技術】
【０００２】
近年のデジタル複写機（画像形成装置）は、コピー機能のほかに、スキャナ機能、プリンタ機能、ファクシミリ機能等のマルチ・ファンクション機能を搭載したＭＦＰ複写機となっており、それらの出力データなどは、この装置内にあるＨＤＤなどに保存されている。また、これらデジタル複写機は、ネットワークに接続されており、それらＨＤＤに記憶されている画像データを、ネットワーク等を介して送受信できるようになっている。
なお、先行技術としては、特許文献１として、第１のデバイス信号を第２のデバイス信号に変換する際デバイスに依存しない標準信号を用いて色変換を行なうカラー画像処理装置において、第１のデバイス信号を所定の観察条件における標準信号に変換する第１の色変換手段と、該標準信号から第２のデバイス信号に変換する第２の色変換手段と、観察条件が実際の観察条件と異なる場合に前記標準信号を所定の関数に基づいて補正する観察条件補正処理手段からなる技術が、特許文献２として、ルックアップテーブル（ＬＵＴ）に基づいて、色彩信号とデバイス信号との間で色空間における座標点を変換する画像処理装置において、ＬＵＴのグリッド点の座標とカラーパッチを測色して得られる測定データを外部から取り込み、グリッド点の座標をＳ字関数等によって非線形変換し、非線形変換されたグリッド点の座標に対応する座標を生成し、新たなルックアップテーブルを形成し、明度方向のダイナミックレンジの補正、コントラストの補正のためのγ補正および彩度補正を行うことでグレーバランスを向上し、色順応モデルを用いて擬似測定データ生成し、それを用いて複数光源についてのＬＵＴを生成し、それについての重み付け加算を行って新たなＬＵＴを形成する技術が開示されている。
特許文献３として、黒レベル設定部でユーザが観察環境下におけるモニタ黒レベルを設定し、黒レベル補正部で該観察環境下においてモニタに表示される色を該黒レベルに基づいて推測し、カラーマッピング部で該推測された表示色に対して、モニタとプリンタとにおいて同様の色味が再現されるように色処理を施す技術が開示されている。
特許文献４として、画像を観察する環境の光源特性を取得し、その光源特性および色票の分光反射率データから、色票の信号値と三刺激値との関係を示すプロファイルデータを演算し、そのプロファイルデータをプロファイルに格納し、そのプロファイルを用いて、環境光による色順応を考慮したカラーマッチング処理を行う技術が開示されている。
【０００３】
特許文献５として、入力デバイスの色空間に依存する入力データを、変換ＬＵＴにより入力側の観察条件に基づくデバイスに依存しない色空間のデータへ変換し、そのデータを順変換部により人間の色知覚色空間のデータへ変換して色空間圧縮した後、色空間圧縮されたデータを逆変換部により出力側の観察条件に基づくデバイスに依存しない色空間のデータへ変換し、そのデータを変換ＬＵＴにより出力デバイスに依存する色空間の出力データヘ変換する技術が開示されている。
特許文献６として、入力デバイスの色空間に依存する入力データを、変換ＬＵＴにより入力側の観察条件に基づくデバイスに依存しない色空間のデータへ変換し、そのデータを順変換部により人間の色知覚色空間のデータへ変換して色空間圧縮した後、色空間圧縮されたデータを逆変換部により出力側の観察条件に基づくデバイスに依存しない色空間のデータへ変換し、そのデータを変換ＬＵＴにより出力デバイスに依存する色空間の出力データヘ変換する技術が開示されている。
特許文献７として、画像出力装置本体に着脱可能に装着でき、この本体から取り外して画像出力装置の周囲環境とは異なる任意の環境の光源を計測可能な計測部を有し、本体内には、この計測部で得られた光源情報に基づいて画像信号に対して色補正処理を行う光源変換部を有し、計測部は光源を計測するための光センサーと、この光センサーで検出した光源情報を記憶する記憶部と、この記憶部に記憶された複数の光源情報の中から任意の光源情報を光源変換部へ供給する光源情報選択手段とを有する技術が開示されている。
特許文献８として、観察光情報及び出力画像の観察状態に関する観察状態情報を入力する入力手段と、前記観察状態情報に基づき、前記観察光情報を観察状態に応じた観察光情報に変換する変換手段と、前記観察光情報に基づき入力画像データを補正する補正手段とを有する技術が開示されている。
特許文献９として、画像出力デバイスで出力される画像を予めシミュレートする画像処理方法であって、前記画像出力デバイスで出力される画像を観察する時の出力物観察環境に応じた色補正処理を行い、前記色補正が施された画像データに対して、出力物観察環境とシミュレート画像を観察する時の表示物環境に応じた色補正処理を行う技術が開示されている。
【０００４】
特許文献１０として、カラーマッチング処理を行う画像処理装置であって、入力デバイスに依存する色空間で示される入力データを、入力側の観察条件に基づく、デバイスに依存しない色空間で示される第一のデータへ変換する変換特性を生成する生成手段と、前記変換特性を用いて、前記入力データを前記第一のデータへ変換する第一の変換手段と、前記第一のデータに、前記入力側の観察条件に応じた色知覚モデルの順変換を施して、人間の色知覚色空間で示される第二のデータを求める第二の変換手段と、前記第二のデータに、出力デバイスの色再現領域に応じた色空間圧縮処理を施して、前記色知覚色空間で示される第三のデータを求める色空間圧縮手段と、前記第三のデータに、出力側の観察条件に応じた色知覚モデルの逆変換を施して、前記出力側の観察条件に基づく、デバイスに依存しない色空間で示される第四のデータを求める第三の変換手段と、前記第四のデータを、前記出力デバイスに依存する色空間で示される出力データヘ変換する第四の変換手段とを有し、前記生成手段は、前記デバイスに依存しない色空間で示される色票のデータと、その色票の色を前記入力デバイスで読み取って得られる、前記入力デバイスに依存する色空間で示されるデータとの関係を示す関係データを取得し、その関係データに含まれる、前記デバイスに依存しない色空間で示される色票のデータを、そのデータの測色条件に基づき、前記人間の色知覚色空間で示されるデータへ変換し、さらに、前記入力側の観察条件に基づき、前記デバイスに依存しない色空間で示されるデータへ変換することで、前記変換特性を生成する技術が開示されている。
特許文献１１として、観察条件を取得し、取得された観察条件に応じた測色データを、プロファイル内に保持されている複数の光源に依存する複数の測色データから選択し、選択された測色データから前記観察条件に対応する測色データを推測して、前記観察条件に対応するカラーマッチング変換データを求め、得られたカラーマッチング変換データを前記プロファイル内にキャッシュすることを技術が開示されている。
【０００５】
特許文献１２として、入力デバイスの色空間に依存する入力データを、変換ＬＵＴにより入力側の観察条件に基づくデバイスに依存しない色空間のデータへ変換し、そのデータを順変換部により人間の色知覚色空間のデータへ変換して色空間圧縮した後、色空間圧縮されたデータを逆変換部により出力側の観察条件に基づくデバイスに依存しない色空間のデータへ変換し、そのデータを変換ＬＵＴにより出力デバイスに依存する色空間の出力データヘ変換する技術が開示されている。
特許文献１３として、観察条件を取得し、取得された観察条件に近い光源に依存する測色データを、プロファイル内に保持されている複数の光源に依存する複数の測色データから選択し、選択された測色データに対して色知覚モデルを用いた変換処理を行い、前記観察条件に対応する測色データを推測し、推測された測色データから前記観察条件に対応するカラーマッチング変換データを求める各ステップを有し、前記測色データは、デバイスに依存する色空間のデータと対応付けられた、デバイスに依存しない色空間のデータである技術が開示されている。
特許文献１４として、任意の基準白色点に応じたＲＧＢ色空間で示される色信号を入力し、前記任意の基準白色点に関する情報を入力し、前記任意の基準白色点に関する情報に基づき、該任意の基準白色点に応じたＲＧＢ色空間で示される色信号を他の色空間で示される色信号に変換する変換条件を求め、前記変換条件に基づき入力カラー画像信号を変換する技術が開示されている。
特許文献１５として、入力デバイスに依存したカラー画像信号に対して入力プロファイルに基づく変換を行い、入力側の観察条件に依存しデバイスに依存しないカラー画像信号を生成し、前記入力側の観察条件の基準白色点に応じて求められた変換条件を用いて、前記入力側の観察条件に依存しデバイスに依存しないカラー画像信号を、前記入力側の観察条件に依存しデバイスに依存しない、赤色成分、緑色成分、青色成分で構成される色信号に変換し、前記色信号に対して、入力側観察条件および出力側観察条件に応じた非線形モデルを用いた補正を行い、出力側観察条件に応じた色信号を生成し、前記出力側観察条件に応じた色信号に対して出力プロファイルに基づく変換を行い出力デバイスに依存したカラー画像信号を出力する画像処理方法であって、前記色信号を構成する赤色成分、緑色成分、青色成分が大略等しいかを判定することにより、該色信号が無彩色であるか否かを判定し、前記色信号が無彩色であると判定された場合は、前記出力側観察条件に応じた色信号を無彩色に補正し、前記出力プロファイルに基づく変換を行うことを技術が開示されている。
【０００６】
特許文献１６として、原画像に対応する第１のデバイス信号を出力する手段と、該第１のデバイス信号を第２のデバイス信号に変換する手段と、該第２のデバイス信号を基に画像を再現する手段を備えたカラー画像処理装置において、前記原画像および再現画像の観察状態を検知する手段と、観察状態に応じた順応の度合いを基に色順応補正を行う手段とを備えた技術が、特許文献１７として、記憶ユニットは、光検出ユニットの測定結果を周囲光情報として複数組記憶し管理し、判定ユニットは、記憶ユニットに記憶された複数組の周囲光情報を読み出して観察光源の判定処理を行い、色補正ユニットは、判定ユニットが判定した観察光源に基づいて、画像読取ユニットが出力する色信号を補正処理し、補正色信号を出力し、画像記録ユニットは、色補正ユニットが出力する補正色信号に基づいて画像を記録し、再現画像を出力する技術が開示されている。
【特許文献１】特開平９−４６５３５号公報
【特許文献２】特開２００２−１５２５３０公報
【特許文献３】特開２００２−２０９１１７公報
【特許文献４】特開２００２−２１８２６６公報
【特許文献５】特開２００１−３０９１９８公報
【特許文献６】特開２００２−２８１３３８公報
【特許文献７】特開平９−８０８４９号公報
【特許文献８】特開平１０−７０６５３号公報
【特許文献９】特開平１１−１３４４７８号公報
【特許文献１０】特許第３３０５２６５号
【特許文献１１】特許第３３０５２６６号
【特許文献１２】特開２０００−４０１４０公報
【特許文献１３】特許第３３１１２９５号
【特許文献１４】特開２００１−９４８００公報
【特許文献１５】特許第３５３５７７８号
【特許文献１６】特開平９−２１９８００号公報
【特許文献１７】特開２００２−２２３３６１公報
【発明の開示】
【発明が解決しようとする課題】
【０００７】
しかしながら、前記従来の画像形成装置には、以下のような問題点があった。
ＭＦＰ複写機で読み取った画像データを送信する際に、外部に送信される画像データは読み取り環境の違いや閲覧環境の違いによって、同じ原稿であっても画像データが異なり、その画像データを基に画像形成を行うと同じ原稿であっても異なる画像が形成されてしまう問題点があった。
本発明では、前記問題点を解決するためになされたものであり、その目的は、読み取り環境の違いや閲覧環境の違いによる送信画像データのばらつきを防止することができる画像形成装置を提供することである。
【課題を解決するための手段】
【０００８】
上述の目的を達成するために、請求項１記載の発明は、原稿を読み取る画像読み取り手段と、前記画像読み取り手段から生成される画像信号に画像処理を施すスキャナ補正手段と、前記スキャナ補正手段の画像データを蓄積する画像記憶手段と、前記画像記憶手段に蓄積された画像データをもとにプリント用に画像処理を行うプリンタ補正手段と、前記プリンタ補正手段で生成された画像データをもとに画像を形成するプリンタ手段と、前記画像記憶手段に蓄積されているデータを機器内部の第１の形式から第２の形式に変換するデータ形式変換手段と、前記データ形式変換手段で変換された内容を送受信するネットワークインターフェースコントローラ手段と、を有する画像形成装置であって、前記画像記憶手段に、前記画像データと共に、所定の環境条件を含む属性データを保存し、前記ネットワークインターフェースコントローラ手段を通じて前記画像データを外部に送信する際に、前記データ形式変換手段において、その送信する画像データに対し、前記属性データに基づいて所定の環境条件による色の違いを補正する所定環境補正処理を行うことを特徴とする。
また、請求項２記載の発明は、請求項１に記載の画像形成装置であって、前記属性データが、どの環境光下で読み取ったかという読み取り環境条件の属性データであり、前記データ形式変換手段において前記属性データに基づいて読み取り環境条件による色の違いを補正する読み取り環境補正処理を行うことを特徴とする。
また、請求項３記載の発明は、請求項１に記載の画像形成装置であって、前記属性データが、どの環境光下で閲覧するかという閲覧環境条件の属性データであり、前記データ形式変換手段において前記属性データに基づいて閲覧環境条件による色の違いを補正する閲覧環境補正処理を行うことを特徴とする。
また、請求項４記載の発明は、請求項１に記載の画像形成装置であって、前記属性データが、どの環境光下で読み取ったかという読み取り環境条件およびどの環境光下で閲覧するかという閲覧環境条件の属性データであり、前記データ形式変換手段において前記属性データに基づいて読み取り環境条件および閲覧環境条件による色の違いを補正する読み取り環境および閲覧環境補正処理を行うことを特徴とする。
また、請求項５記載の発明は、請求項１乃至４のいずれか一項に記載の画像形成装置であって、前記画像記憶手段に蓄積される画像データは、カラーＭＦＰ機でコピー画像として読み取られ、コピーの画像処理が施されたＲＧＢ系の画像データであることを特徴とする。
【発明の効果】
【０００９】
本発明によれば、スキャンしたデータをＰＣ等の外部へ送信する際に、ＭＦＰ複写機によって読み取り条件の違いがあっても読み取り条件に適した読み取り環境補正処理が施されると共に、モニタなどの閲覧環境条件による違いがあっても閲覧環境条件に適した閲覧環境補正処理が施されるので、異なる読み取り環境と異なる閲覧観察下においても同じ画像が得られるようになる。
【発明を実施するための最良の形態】
【００１０】
以下に添付の図を参照してこの発明の実施形態を詳細に説明する。
【実施例】
【００１１】
図１は、本発明によるデジタルＭＦＰ複写機（画像形成装置）の一実施形態の概略構成図である。
図１に示すように、このデジタルＭＦＰ複写機（ファクシミリ、スキャナ、プロッタ等の複合機能を有する複写機）は、汎用バス１を介して、エンジン部３とプリンタコントローラ部５とが相互に接続されている。
そして、エンジン部３は、汎用バス１に接続されたＦＡＸコントローラ７と、汎用バス１に接続されたカラー・モノクロ多値データ固定長圧縮器９と、汎用バス１に接続されたカラー・モノクロ多値データ固定長伸張器１１と、カラー・モノクロ多値データ固定長圧縮器９に接続されたスキャナ補正部１３と、スキャナ補正部１３に接続された読み取りユニット１５と、スキャナ補正部１３に接続されたプリンタ補正部１７と、スキャナ補正部１３およびプリンタ補正部１７に接続されたエンジンコントローラ１９と、プリンタ補正部１７に接続されたＧＡＶＤ２１と、ＧＡＶＤ２１に接続された作像ユニット２３とを有している。
また、プリンタコントローラ部５は、汎用バス１に接続されたプリンタコントローラ２５と、汎用バス１に接続されたデータ形式変換装置２７と、プリンタコントローラ２５に接続されたＮＩＣ２９と、プリンタコントローラ２５に接続されたメモリ部３１と、プリンタコントローラ２５に接続されたＨＤＤ３３とを有している。
ここで、図１を参照して、コピー時における画像データの流れについて説明する。図１において、コピー時における画像データの流れは、点線の矢印で示されている。
まず、原稿を読み取る場合、読み取りユニット１５によりセットされた原稿を読み取り、この読み取られた画像情報は、ＲＧＢに色分解されたデータとしてスキャナ補正部１３に送られる。
【００１２】
図２は、図１に示されたスキャナ補正部１３の内部構成図である。図２に示すように、スキャナ補正部１３内ではスキャナγ処理、フィルタ処理、変倍処理等が行われる。これらの処理は、操作パネルより設定される書誌情報によって適した処理が施される。
変倍後のＲＧＢ各色８ｂｉｔの色データは、カラー・モノクロ多値データ固定長圧縮器９によって各色ｎｂｉｔ（ｎ＜＝８）の色データに変換される。カラー・モノクロ多値データ固定長圧縮器９の出力は汎用バス１へ送られ、圧縮後のＲＧＢの画像データは汎用バス１を通ってプリンタコントローラ部５に送られる。プリンタコントローラ部５のプリンタコントローラ２５は、各色毎に独立した半導体メモリからなるメモリ部３１に送られたデータを蓄積するようになっている。
ここで、画像記憶装置には、画像データと共に操作パネルより設定される書誌情報が蓄積される。この書誌情報は、属性データとして、後述する読み取り環境条件や閲覧環境条件等を含んでいる。
そして、画像記憶装置に画像を蓄積することによって、プリントアウト時に用紙がつまり、印字が正常に終了しなかった際、再び原稿を読み直すのを避けたり、電子ソートを行うことができる。近年は、必要なときに再出力する機能や、ネットワークを介して外部ＰＣに送信する機能として使われている。
次に、前記蓄積されたデータを出力する場合、画像記憶装置内の画像データは、一度メモリ部３１に展開され、次に、汎用バス１をとおりエンジン部３に送られる。エンジン部３のカラー・モノクロ多値データ固定長伸張器１１により再びＲＧＢ８ｂｉｔの画像データに変換される。このＲＧＢ８ｂｉｔの画像データは、プリンタ補正部１７に送られる。
【００１３】
図３は、図１に示されたプリンタ補正部１７の内部構成図である。このプリンタ補正部１７では、図３に示すように色補正、プリンタγ、中間調処理等が行われる。これらの処理は、画像記憶装置に蓄積された操作パネルより設定される書誌情報によって適した処理が施される。すなわち、ＲＧＢの色信号は、色補正処理によりＣＭＹＫの色信号に変換され、次に、ＣＭＹＫの各色に対してプリンタγ補正を行い、次にＧＡＶＤおよび作像ユニットにあわせた中間調処理を行い転写紙に出力する。
図４は、画像記憶装置に蓄積された画像データをネットワークを介して外部ＰＣに送信する際の画像データの流れを示す図である。
まず、ハードディスクからなるＨＤＤ３３には、読み取られた画像データと操作部より選択される書誌情報が蓄積されており、蓄積された画像データは一度メモリ部３１に展開され、次に汎用バス１を通りデータ形式変換装置２７に送られる。その際、書誌情報も一緒にデータ形式変換装置２７に送られる。
データ形式変換装置２７は、書誌情報により適した画像処理を施すと共に、配信するために適切な画像フォーマット処理を施して、ＮＩＣ（ネットワークインターフェースコントーラ）２９を通して外部ＰＣに配信する。尚、ここで、ＨＤＤ３３に蓄積される画像データは特に限定せず、カラーＭＦＰ機で読み取られたある色空間系の画像データとする。ある色空間とはデバイスディペンデンスな色空間（Ｙｕｖ、ＣＭＹＫ）であっても良いしデバイスインディペンデント（ｓＲＧＢ）な色空間であっても良い。
図５は、図１に示したデータ形式変換装置２７内のブロック図である。
まず、入力ポート４０より入力された画像データは、第１の形式の伸張器４１によって第１の形式で圧縮されていた状態から伸張される。その後、書誌情報をもとに、解像度変換器４３によって解像度変換が行われ、読み取り環境条件を含む書誌情報からなる属性データによって色空間変換器４５により色空間が変換される（読み取り環境補正処理）。その後、第２の形式への圧縮器４７によって第２の形式へ圧縮され、出力ポート４９より出力される。
【００１４】
次に、データ形式変換装置２７内の圧縮伸張機能について図６を用いて説明する。図６は、図１に示したデータ形式変換装置２７内の圧縮伸張機能の説明図である。
本発明では、一実施形態として、入力される画像データが多値データであり、その入力多値データは多値データ圧縮方式によってデータ圧縮された汎用データフォーマットである。そして、出力する画像データも、多値データであり、その出力多値データは多値圧縮方式によって圧縮された汎用データフォーマットである。ここで、前記圧縮、伸張方式はＪＰＥＧとなっている。
すなわち、図６に示すように、入力される多値データはＪＰＥＧによって圧縮された状態で入力され、データ変換装置２７内では書誌情報によって所定の画像処理を行うために、その圧縮された多値データを伸張し、多値データに復元した後に、書誌情報によって画像処理を行うようになっている。そして、書誌情報によって所定の画像処理機能実行後に再び外部に出力する際に、ＪＰＥＧ圧縮によって、汎用データフォーマットの状態で出力する。
ここで、ＪＰＥＧの様な標準化されている汎用データフォーマットでデータの送受信を行うことで、送受信されるユニット間でのデータフォーマットを統一可能とし、さらに、データ品質と、データ送受信効率の双方を維持したデータ形式変換システムが構築可能となる。
なお、データが２値データである場合は、ＭＨＭＲ／ＭＭＲ方式で圧縮等の標準的な圧縮伸張によって入出力を行う。
なお、ここでは、入力される画像データと出力される画像データがどちらとも汎用データフォーマットとしたが、入力される画像データが専用画像データフォーマット、出力画像データフォーマットが汎用画像データフォーマット、としても良いし、入力される画像データと出力される画像データがどちらとも専用画像データフォーマットとしても良い。
【００１５】
次に、図７を参照してデータ変換装置２７内の解像度変換機能について説明する。図７は、図１に示したデータ変換装置２７内の解像度変換機能の説明図である。
本発明では、一実施形態として、対象画素データが多値データであり、主走査と副走査双方に任意の解像度への変換が可能な方式を説明する。
図７（ａ）に示すように、データ変換装置２７内の解像度変換器４３は、入力される多値データに対して主走査方向に解像度変換を行う主走査解像度変換ブロック５０と、主走査方向に変換後の多値データに対して副走査方向に解像度変換する副走査解像度変換ブロック５１とで構成されている。
図７（ｂ）に示すように、主走査解像度変換ブロック５０では、入力多値データを書誌情報によって指定した解像度へ変換するために主走査方向に画素補間を行う。補間する画素データ値の算出方式として一般的な最近接画素置換法、隣接２画素加重平均法、３次関数コンボリューション法などを用いる事を想定している。
図７（ｃ）に示すように、主走査方向への解像度変換後のデータは、副走査解像度変換ブロック５１にて、主走査解像度変換後の１ライン分のデータを蓄積可能なラインメモリを複数ライン分もった副走査ライン蓄積メモリから、副走査方向の参照画素データを元に、補間するラインのデータ値の算出を行う。算出方式は、主走査方向と同様に最近接画素置換法、隣接２画素加重平均法、３次関数コンボリューション法などを用いる事を想定する。
【００１６】
次に、図８を参照して本発明の要旨であるデータ変換装置２７内の色空間変換機能について説明する。図８は、図１に示したデータ変換装置２７内の色空間変換機能の説明図である。
このデータ変換装置２７内の色空間変換器４５では、読み取り環境条件を含む書誌情報からなる属性データによって読み取り環境条件に基づいた色空間変換処理（読み取り環境補正処理）が以下のように施される。
ここでは、色空間変換の一例として公知の技術であるテーブル補間法を用いている。
色変換テーブル（Look Up Table：ＬＵＴ）は各軸を８分割し、入力色空間を上位と下位にわけて上位でＬＵＴを参照し、下位で３次元補間を行って精密な出力を得るようにしている。３次元補完法には多数種類があるが、線形補間の中でも最も簡単な四面体補間法を例にあげる。
四面体補間法は、図８に示すように入力色空間を複数の単位立方体に分割して、さらに単位立方体の対称軸を共有する６個の四面体に分割する。これにより入力色信号は、入力色信号の上位座標により選択された単位四面体の分割境界点（＝格子点）のパラメータ（以下格子点パラメータとする）をＬＵＴより参照する。次に下位座標により選択された単位四面体の格子点パラメータから線形演算することで出力値を得る方法である。
なお、このＬＵＴが、読み取り環境条件を含む書誌情報からなる属性データによって変更される。
実際の処理手順は以下の通りである。
（１）入力色信号Ｘ（ｘ，ｙ，ｚ）を内包する単位立方体を選択する。
（２）選択された単位立方体内での座標Ｐの下位座標（Ｄｘ，Ｄｙ，Ｄｚ）を求める。
（３）下位座標の大小比較により単位四面体を選択して各単位四面体毎に線形補間をおこない、座標Ｐでの出力値Ｐｏｕｔを求める。
ここで、各単位四面体の線形補間の式は下式で表される（Ｄ：単位立方体の一辺の長さ）。
（Ｄｘ＜Ｄｙ＜Ｄｚ）：Ｐｏｕｔ＝Ｐ２＋（Ｐ５−Ｐ７）×Ｄｘ／Ｄ＋（Ｐ７−Ｐ８）×Ｄｙ／Ｄ＋（Ｐ８−Ｐ２）×Ｄｚ／Ｄ
（Ｄｙ≦Ｄｘ＜Ｄｚ）：Ｐｏｕｔ＝Ｐ２＋（Ｐ６−Ｐ８）×Ｄｘ／Ｄ＋（Ｐ５−Ｐ６）×Ｄｙ／Ｄ＋（Ｐ８−Ｐ２）×Ｄｚ／Ｄ
（Ｄｙ＜Ｄｚ≦Ｄｘ）：Ｐｏｕｔ＝Ｐ２＋（Ｐ４−Ｐ２）×Ｄｘ／Ｄ＋（Ｐ５−Ｐ６）×Ｄｙ／Ｄ＋（Ｐ６−Ｐ４）×Ｄｚ／Ｄ
（Ｄｚ≦Ｄｙ≦Ｄｘ）：Ｐｏｕｔ＝Ｐ２＋（Ｐ４−Ｐ２）×Ｄｘ／Ｄ＋（Ｐ３−Ｐ４）×Ｄｙ／Ｄ＋（Ｐ５−Ｐ３）×Ｄｚ／Ｄ
（Ｄｚ≦Ｄｘ＜Ｄｙ）：Ｐｏｕｔ＝Ｐ２＋（Ｐ３−Ｐ１）×Ｄｘ／Ｄ＋（Ｐ１−Ｐ２）×Ｄｙ／Ｄ＋（Ｐ５−Ｐ３）×Ｄｚ／Ｄ
（Ｄｘ＜Ｄｚ≦Ｄｙ）：Ｐｏｕｔ＝Ｐ２＋（Ｐ５−Ｐ７）×Ｄｘ／Ｄ＋（Ｐ１−Ｐ１）×Ｄｙ／Ｄ＋（Ｐ７−Ｐ１）×Ｄｚ／Ｄ
【００１７】
図９は、代表的な蛍光分布特性図である。
図９を参照するとわかるように蛍光ランプによって分光特性が異なることがわかる。
ここで、前述したように、ＨＤＤ３３に蓄積される画像データには、読み取りユニット１５において、読み取られた画像データと一緒にどの環境光下で読み取ったかという読み取り環境条件の属性データを書誌情報として含んでいる。
例えば、図９において、Ｆ２光源で読み取った場合にはＦ２光源で読み取ったという属性が、Ｆ１０光源で読み取ったという場合にはＦ１０光源で読み取ったという属性が属性データとしてＨＤＤ３３に保存される。
これらの属性データはユーザが操作部から選択することができる。
そして、ネットワークインターフェースコントローラ２９を通じて画像データを送信する際に、外部に送信する画像データには、前記データ形式変換装置２７の色空間変換器４５にて属性に基づいて読み取り環境条件による色の違いを補正するための読み取り環境補正処理がＬＵＴを変更することにより行われる。
すなわち、ＬＵＴ変更の一例として、先述したように蛍光分布の違いによって読み取られる画像データが異なるこれらの問題を解決するため、各々の読み取り環境条件によるＬＵＴがそれぞれ用意されている。
それにより、読み取りの蛍光ランプがＦ２に場合にはＦ２に対応した色空間変換処理が、読み取りの蛍光ランプがＦ１０に場合にはＦ１０に対応した色空間変換処理が施される。
【００１８】
次に、図１０を参照して、第２実施形態におけるデータ変換装置２７内の色空間変換機能について説明する。図１０は、第２実施形態におけるデータ変換装置２７内の色空間変換機能の説明図である。
このデータ変換装置２７内の色空間変換器６０では、閲覧環境条件を含む書誌情報からなる属性データによって閲覧環境条件に基づいた色空間変換処理（閲覧環境補正処理）が以下のように施される。
ここで、閲覧環境とは、電子画像の場合、ユーザの閲覧条件、例えばユーザが閲覧するモニタの種類によって異なるようなものである。例えば、ｓＲＧＢモニタという観察環境下で閲覧をする人もいるし、ＡｄｏｂｅＲＧＢモニタで閲覧する人、液晶モニタの人、ＣＲＴモニタの人等、同じモニタであっても異なるカンデラ値の人、モニタγ値、モニタの設置場所、光源の違いなどオフィス環境の違いなど、さまざまな閲覧条件がある。
そこで、モニタのカンデラ値、オフィスの観察光源など閲覧する条件を含む属性データが画像データと一緒にＨＤＤ３３に蓄積される。これらの属性データはユーザが操作部から選択することができる。
そして、ネットワークインターフェースコントローラ２９を通じて画像データを送信する際に、外部に送信する画像データには、前記データ形式変換装置２７の色空間変換器４５にて属性に基づいて閲覧環境条件による色の違いを補正するための閲覧環境補正処理がＬＵＴを変更することにより行われる。
すなわち、ＬＵＴ変更の一例として、先述したようにモニタのカンデラ値、オフィスの観察光源などの違いによってユーザの閲覧状態が異なるこれらの問題を解決するため、各々の閲覧環境条件によるＬＵＴがそれぞれ用意されている。
【００１９】
次に、図１１を参照して、第３実施形態におけるデータ変換装置２７内の色空間変換機能について説明する。図１１は、第３実施形態におけるデータ変換装置２７内の色空間変換機能の説明図である。
このデータ変換装置２７内の色空間変換器７０では、上述した第１および第２実施形態で述べた読み取り環境条件と閲覧環境条件を含む書誌情報からなる属性データによって読み取り環境条件および閲覧環境条件に基づいた色空間変換処理（読み取り環境および閲覧環境補正処理）が施されるようにしたものである。
すなわち、第１実施形態で述べた読み取り環境条件と第２実施形態で述べた閲覧環境条件との両方を含む環境条件によって色空間変換処理（読み取り環境および閲覧環境補正処理）を行うようにしたものである。
これによれば、スキャンしたデータをＰＣ等の外部へ送信する際に、ＭＦＰ複写機によって読み取り条件の違いがあっても読み取り条件に適した読み取り環境補正処理が施されると共に、モニタなどの閲覧環境条件による違いがあっても閲覧環境条件に適した閲覧環境補正処理が施されるので、異なる読み取り環境と異なる閲覧観察下においても同じ画像が得られるようになる。
【図面の簡単な説明】
【００２０】
【図１】本発明によるデジタルＭＦＰ複写機の一実施形態の概略構成図。
【図２】図１に示されたスキャナ補正部１３の内部構成図。
【図３】図１に示されたプリンタ補正部１７の内部構成図。
【図４】画像記憶装置に蓄積された画像データをネットワークを介して外部ＰＣに送信する際の画像データの流れを示す図。
【図５】図１に示したデータ形式変換装置２７内のブロック図。
【図６】図１に示したデータ形式変換装置２７内の圧縮伸張機能の説明図。
【図７】図１に示したデータ変換装置２７内の解像度変換機能の説明図。
【図８】図１に示したデータ変換装置２７内の色空間変換機能の説明図。
【図９】代表的な蛍光分布特性図。
【図１０】第２実施形態におけるデータ変換装置２７内の色空間変換機能の説明図。
【図１１】第３実施形態におけるデータ変換装置２７内の色空間変換機能の説明図。
【符号の説明】
【００２１】
１  汎用バス、３  エンジン部、５  プリンタコントローラ部、７  ＦＡＸコントローラ、９  カラー・モノクロ多値データ固定長圧縮器、１１  カラー・モノクロ多値データ固定長伸張器、１３  スキャナ補正部、１５  読み取りユニット、１７  プリンタ補正部、１９  エンジンコントローラ、２１  ＧＡＶＤ、２３  作像ユニット、２５  プリンタコントローラ、２７  データ形式変換装置、２９  ＮＩＣ、３１  メモリ部、３３  ＨＤＤ、４０  入力ポート、４１  伸張器、４３  解像度変換器、４５  色空間変換器、４７  圧縮器、４９  出力ポート、５０  主走査解像度変換ブロック、５１  副走査解像度変換ブロック、６０  色空間変換器、７０  色空間変換器
【図１】
2006262024.tif 000003
【図２】
2006262024.tif 000004
【図３】
2006262024.tif 000005
【図４】
2006262024.tif 000006
【図５】
2006262024.tif 000007
【図６】
2006262024.tif 000008
【図７】
2006262024.tif 000009
【図８】
2006262024.tif 000010
【図９】
2006262024.tif 000011
【図１０】
2006262024.tif 000012
【図１１】
2006262024.tif 000013